【手続補正書】
【提出日】平成23年11月4日(2011.11.4)
【手続補正１】
【補正対象書類名】特許請求の範囲
【補正対象項目名】全文
【補正方法】変更
【補正の内容】
【特許請求の範囲】
【請求項１】
記録媒体の単位領域に対する記録ヘッドの複数回の移動中に前記記録ヘッドからインクを吐出して前記単位領域に画像を記録することが可能なインクジェット記録装置であって、
前記単位領域に打ち込まれるインクの量に対応する情報に基づいて、前記単位領域に記録すべき画像データを前記記録ヘッドの複数回の移動の各々で記録すべき画像データに分割するための分割パターンを選択する選択手段を有し、
前記選択手段は、前記情報に対応するインク打ち込み量が第１のインク打ち込み量以上の場合には、第１の分割パターンを選択し、前記情報に対応するインク打ち込み量が前記第１のインク打ち込み量よりも少ない第２のインク打ち込み量の場合には、前記第１の分割パターンよりも隣に記録許容画素が存在する記録許容画素の数が少ない第２の分割パターンを選択することを特徴とするインクジェット記録装置。
【請求項２】
前記第２の分割パターンは、隣に記録許容画素が存在する記録許容画素の数が０であることを特徴とする請求項１に記載のインクジェット記録装置。
【請求項３】
前記情報に対応するインク打ち込み量が前記第２のインク打ち込み量より少ない第３のインク打ち込み量の場合には、前記第１の分割パターンを選択することを特徴とする請求項１または２に記載のインクジェット記録装置。
【請求項４】
前記情報に対応するインク打ち込み量が前記第２のインク打ち込み量より少ない第３のインク打ち込み量の場合には、前記第２の分割パターンを選択することを特徴とする請求項１から３のいずれか１項に記載のインクジェット記録装置。
【請求項５】
前記情報に対応するインク打ち込み量が前記第２のインク打ち込み量より少ない第３のインク打ち込み量の場合には、前記第１及び第２の分割パターンとは記録許容画素の配列が異なる第３の分割パターンを選択することを特徴とする請求項１から４のいずれか１項に記載のインクジェット記録装置。
【請求項６】
記録媒体の単位領域に対する記録ヘッドの複数回の移動中に前記記録ヘッドからインクを吐出して前記単位領域に画像を記録することが可能なインクジェット記録装置であって、
前記単位領域に打ち込まれるインクの量に対応する情報に基づいて、前記単位領域に記録すべき画像データを前記記録ヘッドの複数回の移動の各々で記録すべき画像データに分割するための分割パターンを選択する選択手段を有し、
前記選択手段は、前記情報に対応するインク打ち込み量が第１のインク打ち込み量以上の場合には、ｍ×ｎ（ｍとｎは正の整数で、少なくとも一方が２以上）の記録許容画素が単位として配列された第１の分割パターンを選択し、前記情報に対応するインク打ち込み量が前記第１のインク打ち込み量よりも少ない第２のインク打ち込み量の場合には、ｋ×ｌ（ｋとｌは正の整数で、少なくとも一方が２以上であり、かつｋ×ｌ＜ｍ×ｎ）の記録許容画素が単位として配列された第２の分割パターンを選択することを特徴とするインクジェット記録装置。
【請求項７】
記録媒体の単位領域に対する記録ヘッドの複数回の移動中に前記記録ヘッドからインクを吐出して前記単位領域に画像を記録することが可能なインクジェット記録装置と、前記インクジェット記録装置に画像データを供給するための供給装置とを有するインクジェット記録システムであって、
前記単位領域に打ち込まれるインクの量に対応する情報に基づいて、前記単位領域に記録すべき画像データを前記記録ヘッドの複数回の移動の各々で記録すべき画像データに分割するための分割パターンを選択する選択手段を有し、
前記選択手段は、前記情報に対応するインク打ち込み量が第１のインク打ち込み量以上の場合には、第１の分割パターンを選択し、前記情報に対応するインク打ち込み量が前記第１のインク打ち込み量よりも少ない第２のインク打ち込み量の場合には、前記第１の分割パターンよりも隣に記録許容画素が存在する記録許容画素の数が少ない第２の分割パターンを選択することを特徴とするインクジェット記録システム。
【請求項８】
記録媒体の単位領域に対する記録ヘッドの複数回の移動中に前記記録ヘッドからインクを吐出して前記単位領域に画像を記録することが可能なインクジェット記録装置と、前記インクジェット記録装置に画像データを供給するための供給装置とを有するインクジェット記録システムであって、
前記単位領域に打ち込まれるインクの量に対応する情報に基づいて、前記単位領域に記録すべき画像データを前記記録ヘッドの複数回の移動の各々で記録すべき画像データに分割するための分割パターンを選択する選択手段を有し、
前記選択手段は、前記情報に対応するインク打ち込み量が第１のインク打ち込み量以上の場合には、ｍ×ｎ（ｍとｎは正の整数で、少なくとも一方が２以上）の記録許容画素が単位として配列された第１の分割パターンを選択し、前記情報に対応するインク打ち込み量が前記第１のインク打ち込み量よりも少ない第２のインク打ち込み量の場合には、ｋ×ｌ（ｋとｌは正の整数で、少なくとも一方が２以上であり、かつｋ×ｌ＜ｍ×ｎ）の記録許容画素が単位として配列された第２の分割パターンを選択することを特徴とするインクジェット記録システム。
【請求項９】
記録媒体の単位領域に記録すべき画像データを、インクを吐出するための記録ヘッドの複数回の移動の各々で記録すべき画像データに分割するための分割パターンを選択する処理をコンピュータに実行させるためのプログラムであって、
前記処理は、前記単位領域に打ち込まれるインクの量に対応する情報に基づいて、前記分割パターンを選択する工程を含み、
前記工程は、前記情報に対応するインク打ち込み量が第１のインク打ち込み量以上の場合には、第１の分割パターンを選択し、前記情報に対応するインク打ち込み量が前記第１のインク打ち込み量よりも少ない第２のインク打ち込み量の場合には、前記第１の分割パターンよりも隣に記録許容画素が存在する記録許容画素の数が少ない第２の分割パターンを選択することを特徴とするプログラム。
【請求項１０】
インクを吐出する記録ヘッドと、記録媒体と、の複数回の相対移動中に、前記記録媒体の単位領域に画像を記録するために、前記単位領域に打ち込まれるインクの量に対応する情報に基づいて、前記単位領域に記録すべき画像データを前記相対移動の各々で記録すべき画像データに分割するための分割パターンを選択する選択方法であって、
前記情報に対応するインク打ち込み量が第１のインク打ち込み量以上の場合には、第１の分割パターンを選択し、前記情報に対応するインク打ち込み量が前記第１のインク打ち込み量よりも少ない第２のインク打ち込み量の場合には、前記第１の分割パターンよりも隣に記録許容画素が存在する記録許容画素の数が少ない第２の分割パターンを選択することを特徴とする選択方法。
【請求項１１】
インクを吐出する記録ヘッドと、記録媒体と、の複数回の相対移動中に、前記記録媒体の単位領域に画像を記録するために、前記単位領域に打ち込まれるインクの量に対応する情報に基づいて、前記単位領域に記録すべき画像データを前記相対移動の各々で記録すべき画像データに分割するための分割パターンを選択する選択方法であって、
前記情報に対応するインク打ち込み量が第１のインク打ち込み量以上の場合には、ｍ×ｎ（ｍとｎは正の整数で、少なくとも一方が２以上）の記録許容画素が単位として配列された第１の分割パターンを選択し、前記情報に対応するインク打ち込み量が前記第１のインク打ち込み量よりも少ない第２のインク打ち込み量の場合には、ｋ×ｌ（ｋとｌは正の整数で、少なくとも一方が２以上であり、かつｋ×ｌ＜ｍ×ｎ）の記録許容画素が単位として配列された第２の分割パターンを選択することを特徴とする選択方法。